(57)【要約】【課題】装置全体の構成を簡素化しつつ、安全に適温の冷水や湯等の飲用水を提供可能とする飲用水供給装置を提供する。【解決手段】本発明の飲用水供給装置は、機械室３２と、この上側に飲用水容器１１を保管する保管室３３と、この上側前部に保冷室６内の飲用水容器１１の注出口栓２０からカップＣに飲用水を供給する飲用水供給部４０と、この後方に設けられ、保冷室６内の飲用水容器１１から供給される飲用水から湯を生成する湯タンク４５が設置される湯タンク室３４と、飲用水供給部４０に設けられ、湯タンク４５内で生成された湯をカップＣに供給するための湯ノズル５５とを備え、保冷室６を飲用水供給部４０及び湯タンク室３４の上側に構成した。【選択図】図２
2009269646.tif 000002
【特許請求の範囲】
【請求項１】
飲用水を収容する注出口栓付きの複数の飲用水容器を冷却する保冷室を備えた飲用水供給装置であって、
前記保冷室内を冷却するための冷却ユニットが設置される機械室と、
該機械室の上側に構成され、前記飲用水容器を保管する保管室と、
該保管室の上側前部に構成され、前記保冷室内の飲用水容器の前記注出口栓からカップに飲用水を供給する飲用水供給部と、
該飲用水供給部の後方に設けられ、前記保冷室内の飲用水容器から供給される飲用水から湯を生成する湯タンクが設置される湯タンク室と、
前記飲用水供給部に設けられ、前記湯タンク内で生成された湯をカップに供給するための湯ノズルとを備え、
前記保冷室を前記飲用水供給部及び湯タンク室の上側に構成したことを特徴とする飲用水供給装置。
【請求項２】
飲用水を収容する注出口栓付きの飲用水容器を上下方向に複数段収納する保冷室を備え、最下段の前記飲用水容器の注出口栓を、前記保冷室外に臨ませて成る飲用水供給装置であって、
前記保冷室内下部に構成され、当該保冷室内を冷却するための冷却器及び送風機が設置される冷却室と、
該冷却室の後部に連通し、上方に延在する吐出ダクトと、
該吐出ダクトの上部に形成された上部冷気吐出口と、
前記吐出ダクトの前面であって、前記最下段の飲用水容器に対応する位置に形成された前部冷気吐出口と、
前記冷却室の前部に連通する冷気吸込口とを備えたことを特徴とする飲用水供給装置。
【請求項３】
飲用水を収容する注出口栓付きの飲用水容器を冷却する保冷室と、該保冷室内の飲用水容器から供給される飲用水から湯を生成する湯タンクとを備えた飲用水供給装置であって、
前記湯タンク内の湯の温度に基づいて当該湯タンクにおける湯の生成と当該湯タンクからの湯の供給を制御する制御装置と、前記湯タンク内の湯を廃棄するための排水管とを備え、
前記制御装置は、停電から復旧した際の前記湯タンク内の湯の温度が所定の下限値に低下している場合、所定の警告動作を実行すると共に、所定のリセット操作が成されるまで、前記湯タンクにおける湯の生成及び当該湯タンクからの湯の供給を禁止することを特徴とする飲用水供給装置。
【発明の詳細な説明】
【技術分野】
【０００１】
本発明は、飲用水を収容する注出口栓付きの複数の飲用水容器を冷却する保冷室を備えた飲用水供給装置に関するものである。
【背景技術】
【０００２】
従来より、家庭や、オフィス、公共機関などにおいて、飲用水を冷却して提供する冷水器が用いられている。一般に、冷水器には、市水から供給された水道水を冷水器本体内に設けられる冷却槽内にて所定温度に冷却し、冷水注出動作に基づいて冷水をカップ等に取り出すものや、専用の液体収容コンテナ内に収容されたミネラルウォーターを当該コンテナごと冷水器内に形成される冷却室内において冷却し、当該コンテナに設けられる注出口栓を冷水器本体に設けられる注出機構部において開閉することで、冷水をカップ等に取り出すものがある（例えば、特許文献１参照）。
【特許文献１】特開２００４−２２６０４７号公報
【発明の開示】
【発明が解決しようとする課題】
【０００３】
特許文献１に示す如き液体冷却システムでは、冷却装置にて冷却可能な液体収容コンテナは、一つであったため、当該液体収容コンテナ内の水が全て無くなるまで新しい液体収容コンテナを冷却することができない問題がある。そのため、交換作業が行われた直後は、冷水を提供することができない問題があり、これを回避するためには、予備の液体収容コンテナを別途冷却庫などにおいて冷却する必要があった。
【０００４】
そこで、当該予備の液体収容コンテナを冷却するための冷却装置を当該液体冷却システムに設けることが考えられる。例えば、装置全体の高さ寸法と、冷水の取出高さを考慮して、冷却装置を構成する圧縮機等を装置最下部に形成される機械室内に配置し、冷水が取り出される高さよりも高い位置に冷水の供給を行う液体収容コンテナを配置して、当該冷水が取り出される高さと機械室との間に、予備の液体収容コンテナを冷却するための予備冷却室を設ける。
【０００５】
また、当該液体冷却システムにおいて、湯の提供を可能とするため、液体収容コンテナから水を湯タンク内に供給し、当該湯タンク内にて生成された湯を供給可能とする。この場合、液体収容コンテナに収容された水は、開封後は、雑菌の繁殖を抑制するため、所定の冷蔵温度にて冷却する必要がある。そのため、湯タンク内に水を供給する液体収容コンテナは、上記冷水の供給に用いられる液体収容コンテナと共に、装置上部に形成される保冷室内に配置される。
【０００６】
係る場合には、冷却装置を構成する冷却器を保冷室内と、予備冷却室の両者に設ける必要があり、冷媒配管構成が煩雑となる問題がある。
【０００７】
また、上記構成では、保冷室内に冷水供給用の液体収容コンテナと湯供給用（湯タンクへの水供給用）の液体収容コンテナとを収容し、これらが均一の温度となるように冷気循環が行われるため、保冷室全体の温度を所定の冷却温度とするためには、ランニングコストの高騰を招くと共に、冷水供給用の液体収容コンテナから供給される冷水温度の上昇を招くこととなる。そのため、より早期に適切な温度にて冷水を提供することが困難となる。
【０００８】
更にまた、上記構成では、湯タンク内において湯を生成し、湯の供給を可能としているが、停電等により湯タンク内の温度が一旦、所定の下限値より低下しても、停電から復帰すると、再度同様の水を用いて湯の生成が行われて、当該湯が飲用として供給される構成とされていた。
【０００９】
しかしながら、湯タンク内の湯が所定の下限値以下となると、雑菌繁殖を招く問題があった。そのため、当該水を用いて湯が生成されて飲用水として提供されると、中毒などを招来する懸念があった。
【００１０】
本発明は、従来の技術的課題を解決するために成されたものであり、装置全体の構成を簡素化しつつ、安全に適温の冷水や湯等の飲用水を提供可能とする飲用水供給装置を提供する。
【課題を解決するための手段】
【００１１】
本発明の飲用水供給装置は、飲用水を収容する注出口栓付きの複数の飲用水容器を冷却する保冷室を備えたものであって、保冷室内を冷却するための冷却ユニットが設置される機械室と、該機械室の上側に構成され、飲用水容器を保管する保管室と、該保管室の上側前部に構成され、保冷室内の飲用水容器の注出口栓からカップに飲用水を供給する飲用水供給部と、該飲用水供給部の後方に設けられ、保冷室内の飲用水容器から供給される飲用水から湯を生成する湯タンクが設置される湯タンク室と、飲用水供給部に設けられ、湯タンク内で生成された湯をカップに供給するための湯ノズルとを備え、保冷室を飲用水供給部及び湯タンク室の上側に構成したことを特徴とする。
【００１２】
請求項２の発明の飲用水供給装置は、飲用水を収容する注出口栓付きの飲用水容器を上下方向に複数段収納する保冷室を備え、最下段の飲用水容器の注出口栓を、保冷室外に臨ませて成るものであって、保冷室内下部に構成され、当該保冷室内を冷却するための冷却器及び送風機が設置される冷却室と、該冷却室の後部に連通し、上方に延在する吐出ダクトと、該吐出ダクトの上部に形成された上部冷気吐出口と、吐出ダクトの前面であって、最下段の飲用水容器に対応する位置に形成された前部冷気吐出口と、冷却室の前部に連通する冷気吸込口とを備えたことを特徴とする。
【００１３】
請求項３の発明の飲用水供給装置は、飲用水を収容する注出口栓付きの飲用水容器を冷却する保冷室と、該保冷室内の飲用水容器から供給される飲用水から湯を生成する湯タンクとを備えたものであって、湯タンク内の湯の温度に基づいて当該湯タンクにおける湯の生成と当該湯タンクからの湯の供給を制御する制御装置と、湯タンク内の湯を廃棄するための排水管とを備え、制御装置は、停電から復旧した際の湯タンク内の湯の温度が所定の下限値に低下している場合、所定の警告動作を実行すると共に、所定のリセット操作が成されるまで、湯タンクにおける湯の生成及び当該湯タンクからの湯の供給を禁止することを特徴とする。
【発明の効果】
【００１４】
本発明によれば、飲用水を収容する注出口栓付きの複数の飲用水容器を冷却する保冷室を備えた飲用水供給装置において、保冷室内を冷却するための冷却ユニットが設置される機械室と、該機械室の上側に構成され、飲用水容器を保管する保管室と、該保管室の上側前部に構成され、保冷室内の飲用水容器の注出口栓からカップに飲用水を供給する飲用水供給部と、該飲用水供給部の後方に設けられ、保冷室内の飲用水容器から供給される飲用水から湯を生成する湯タンクが設置される湯タンク室と、飲用水供給部に設けられ、湯タンク内で生成された湯をカップに供給するための湯ノズルとを備え、保冷室を飲用水供給部及び湯タンク室の上側に構成したので、保冷室とは別に保管室内において予備としての飲用水容器を保管することが可能となる。
【００１５】
このとき、保管室内は、冷却ユニットによる冷却を行わない構成とされているため、冷媒配管構成等を簡素化することができ、飲用水供給装置全体の構造を簡素化することができる。また、装置全体の下部に位置する保管室内に飲用水容器を収納することで、その重量によって装置全体の安定度を向上させることができる。
【００１６】
また、飲用水供給部及び湯タンク室の上側に、それぞれに飲用水を供給する飲用水容器を収容する保冷室が形成されているため、重力により飲用水容器の注出口栓からの飲用水の注出、及び湯タンクへの飲用水の供給を支障なく行うことが可能となる。
【００１７】
請求項２の発明によれば、飲用水を収容する注出口栓付きの飲用水容器を上下方向に複数段収納する保冷室を備え、最下段の飲用水容器の注出口栓を、保冷室外に臨ませて成る飲用水供給装置において、保冷室内下部に構成され、当該保冷室内を冷却するための冷却器及び送風機が設置される冷却室と、該冷却室の後部に連通し、上方に延在する吐出ダクトと、該吐出ダクトの上部に形成された上部冷気吐出口と、吐出ダクトの前面であって、最下段の飲用水容器に対応する位置に形成された前部冷気吐出口と、冷却室の前部に連通する冷気吸込口とを備えたので、飲用水を注ぎ出す最下段の飲用水容器を冷却室から前部冷気吐出口より供給される冷気によって積極的に冷却することが可能となる。
【００１８】
これにより、保冷室内の飲用水容器のうち、飲用水が注ぎ出される飲用水容器を積極的に冷却することで、注出される飲用水を効率的に冷却した状態で提供することが可能となると共に、保冷室内に収納される他の飲用水容器を保冷することが可能となる。従って、装置全体の冷却効率の向上を図ることができ、ランニングコストの低減を図ることが可能となる。
【００１９】
請求項３の発明によれば、飲用水を収容する注出口栓付きの飲用水容器を冷却する保冷室と、該保冷室内の飲用水容器から供給される飲用水から湯を生成する湯タンクとを備えた飲用水供給装置において、湯タンク内の湯の温度に基づいて当該湯タンクにおける湯の生成と当該湯タンクからの湯の供給を制御する制御装置と、湯タンク内の湯を廃棄するための排水管とを備え、制御装置は、停電から復旧した際の湯タンク内の湯の温度が所定の下限値に低下している場合、所定の警告動作を実行すると共に、所定のリセット操作が成されるまで、湯タンクにおける湯の生成及び当該湯タンクからの湯の供給を禁止するので、停電後、湯タンク内の湯の温度が所定の下限値に低下したとき、湯タンク内の湯の廃棄を使用者に促すことができる。
【００２０】
そして、湯の廃棄後、所定のリセット操作が行われることで、湯タンクにおける湯の生成と湯タンクからの湯の供給動作を復帰させることが可能となり、停電時の温度低下に伴う湯の雑菌繁殖による中毒などの発生を未然に回避することができる。
【発明を実施するための最良の形態】
【００２１】
以下、図面を参照して本発明の飲用水供給装置１の実施形態を説明する。図１は本発明を適用した飲用水供給装置１の斜視図、図２は図１の飲用水供給装置１の縦断側面図、図３は図１の飲用水供給装置１の各扉８、固定パネル４１、供給部パネル５０を取り外した状態の正面図、図４は図１の飲用水供給装置１の各扉８を開放した状態の斜視図、図５は更に固定パネル４１を開放した状態の図４の部分透視斜視図、図６は飲用水容器１１を収納した状態の保冷室６内上部の斜視図、図７はカップ支持台５１の高さを高位置とした飲用水供給装置１の斜視図をそれぞれ示している。
【００２２】
本実施例の飲用水供給装置１は、所定の冷却温度、例えば＋１０℃以下の冷水及び所定の加温温度、例えば＋８０℃以上の湯を供給する装置である。飲用水供給装置１は、前面に開口する矩形状の断熱箱体２と、当該断熱箱体２の両側面又は背面から下方にまで延在する化粧パネル３、３により本体が構成されている。この断熱箱体２は、前面に開口を有した鋼板製の外箱４と、前面に開口を有する内箱５と、これら内外両箱４、５間に発泡充填された図示しない断熱材とから構成されている。
【００２３】
そして、断熱箱体２内には、前面が開口する保冷室６が形成されている。この保冷室６の前面開口は、断熱扉８により開閉自在に閉塞されている。断熱扉８は一側端が断熱箱体２の側部に回動自在に枢支された開き扉とされている。この断熱扉８の前面には、詳細は後述する如きコントロールパネル９が設けられている。
【００２４】
また、この断熱扉８の下端中央部には、下方に開放したコ字状に切り欠かれた開口８Ａが形成されている。そして、この後方に対応する位置の断熱箱体２には、断熱扉８の後面と当接して保冷室６内を閉塞する固定パネル４１が設けられている。尚、当該固定パネル４１の詳細は後述する。
【００２５】
保冷室６内には、断熱箱体２の底壁２Ａと所定間隔を存してデックパン１８が設けられており、当該デックパン１８の下方には、保冷室６内下部に位置して、圧縮機３５等から成る冷却ユニットＲと共に冷却装置を構成する冷却器１４及び冷気循環用の送風機１７が配設される冷却室１６が形成されている。
【００２６】
このデックパン１８は、保冷室６内に収納される複数の飲用水容器１１のうち、最下段の飲用水容器１１が載置されるものであり、後部から前部に向けて所定角度にて低く傾斜して形成されている。当該前部は、後方の傾斜角度よりも更に前方に向けて低く傾斜した冷気吸込面２２Ａが形成されている。係る冷気吸込面２２Ａには、冷却室１６の前部に連通する複数の冷気吸込口２２が形成されている。
【００２７】
そのため、詳細は後述する飲用水容器１１が当該デックパン１８上面に載置された状態で、当該飲用水容器１１の前部は、冷気吸込面２２Ａと所定間隔を存して設けられることとなり、冷気吸込口２２からの冷気吸込が阻害されない。
【００２８】
また、この冷気吸込面２２Ａの略中央部には、保冷室６内から冷却室１６内に帰還される冷気の温度、又は、当該デックパン１８上面に載置された後述する飲用水容器１１内から引き出された袋状の内容器１１Ｂ内の飲用水温度を検出する庫内温度センサ２６が設けられている。
【００２９】
断熱箱体２の背壁の内側には冷却室１６の後部に連通し、上方に延在する吐出ダクト部材１９が設けられている。当該吐出ダクト部材１９内には、上下に連通する吐出ダクト１９Ａが形成されており、当該上部には、保冷室６内上部にて開口する上部冷気吐出口２１が形成されている。また、この吐出ダクト部材１９の前面には、デックパン１８上に載置される前記最下段の飲用水容器１１に対応する位置に複数前部冷気吐出口１５が形成されている。
【００３０】
一方、保冷室６には複数の飲用水容器１１を載置するための複数段の棚１２・・が架設されている。本実施例では、保冷室６内に３つの飲用水容器１１（飲用水（冷水）供給用の飲用水容器、湯供給用の飲用水容器、保冷用の飲用水容器）を収納可能とするため、所定の間隔を存して、棚１２、１２が架設されている。各棚１２は、保冷室６内壁を構成する両側面の前部から後部に渡って設けられる棚保持レール１３に着脱自在に支持される。本実施例では、詳細は後述する如く飲用水容器１１の前部に設けられる注出口栓２０から自重によって収容された飲用水を注出するため、当該飲用水容器１１が載置される棚１２は、デックパン１８と同様に、後部から前部に向けて所定角度にて低く傾斜して架設される。
【００３１】
上記飲用水容器１１は、段ボールから成る比較的剛性の高い外箱本体１１Ａと、柔軟な素材から成り飲用水が収容される袋状の内容器１１Ｂと、当該内容器１１Ｂに設けられて内部の飲用水を任意に操作することで取出可能とされる注出口栓２０とから構成される（図６参照）。
【００３２】
内容器１１Ｂの注出口栓２０に相当する位置の外箱本体１１Ａの側面下部には、容易に切断して部分的に除去可能とする切取線１１Ｃが形成されている。そのため、当該切取線１１Ｃに沿って注出口栓２０に対応する部分を除去することで、当該外箱本体１１Ａに内包される内容器１１Ｂが露出され、注出口栓２０を外部に露出させることができる。
【００３３】
この注出口栓２０は、封止部２０Ａと、取出ノズル２０Ｂと、封止部２０Ａ内に形成される図示しない導出通路を開閉自在に操作して取出ノズル２０Ｂから内容器１１Ｂ内に収容される飲用水を任意に注出可能とする操作コック２０Ｃとから構成されている。
【００３４】
そのため、保冷室６内のデックパン１８上に収納される飲用水（冷水）供給用の飲用水容器１１及び下側の棚１２に載置される湯供給用の飲用水容器１１は、上述したように注出口栓２０が外部に露出された状態として収容される。
【００３５】
ここで、デックパン１８上に収納される飲用水容器１１（最下段の飲用水容器１１）の前方には、断熱扉８の後方に位置して上述した如き固定パネル４１が設けられている。この固定パネル４１は、下端が断熱箱体２の下部に回動自在に枢支されて設けられており、当該固定パネル４１の上部両側部には、当該固定パネル４１を保冷室６下部前面開口に対応して着脱自在に固定するための固定具４１Ａが設けられている。
【００３６】
また、この固定パネル４１の上中央部には、上方に開口したコ字状の切欠が形成されており、当該切欠には、当該切欠上部に回動自在に蓋４２が設けられている。これら切欠下縁及び蓋４２の下端部には、飲用水容器１１の注出口栓２０（封止部２０Ａ）を保持する注出口栓保持部４３が形成されている。
【００３７】
係る構成により、断熱扉８を開放し、蓋４２が上方に回動されて開放された状態の固定パネル４１を前方に回動させて倒した状態で、デックパン１９上に注出口栓２０が外部に露出された飲用水容器１１を収容する。そして、固定パネル４１を起立させて固定具４１Ａにより断熱箱体２の開口縁に固定すると、固定パネル４１の切欠より飲用水容器１１の注出口栓２０が前方に臨む。係る状態で、蓋４２を閉塞することにより、飲用水容器１１の注出口栓２０は、注出口栓保持部４３に保持される。また、この注出口栓２０は、断熱扉８に形成された開口８Ａを介して保冷室６外に臨む。
【００３８】
下側の棚１２に対応する断熱箱体２の側壁には、詳細は後述する湯タンク４５に湯供給用の飲用水容器１１から湯生成用の飲用水を供給するための飲用水供給配管４６が配設されている。この飲用水供給配管４６の一端は、湯タンク４５に接続されると共に、他端には、飲用水容器１１の注出口栓２０の取出ノズル２０Ｂに接続するための湯水接続部４７が設けられている。
【００３９】
他方、断熱箱体２の底面には、所定の高さを有する台脚アングル２８が取り付けられており、当該台脚アングル２８の両側面は、断熱箱体２の両側面と共に化粧パネル３にて被覆されている。そして、台脚アングル２８及び化粧パネル３にて区画される領域には、当該領域を上下に区画する区画壁２９、３０によって、下から順に機械室３２と、保管室３３と、湯タンク室３４とが形成されている。
【００４０】
機械室３２及び保管室３３は、それぞれ前面に開口して形成されており、機械室３２内には、前記冷却器１４と共に冷却装置を構成する圧縮機３５と、凝縮器３６等の冷却ユニットＲが設けられている。凝縮器３６の後方には、凝縮器用送風機３７が取り付けられている。この機械室３２前部には、前面に詳細は後述する復帰スイッチ３９が設けられた電装箱３８が配設されている。
【００４１】
機械室３２の上側に構成される保管室３３は、前記飲用水容器１１を少なくとも一つ収容可能とする寸法に形成されている。機械室３２及び保管室３３の前面開口は、一側端が台脚アングル２８に回動自在に枢支された開き扉とされる扉パネル７により開閉自在に閉塞されている。
【００４２】
前記湯タンク室３４は、断熱箱体２に形成される保冷室６の下側であって、保管室３３の上側後部に形成されており、当該湯タンク室３４の前方には、保冷室６内の飲用水容器１１の注出口栓２０からカップＣに飲用水を供給する飲用水供給部４０が設けられている。
【００４３】
飲用水供給部４０は、上記保冷室６内に収容される最下段の飲用水容器１１の注出口栓２０の下方に対応して設けられており、本実施例では、前方に開口する断面略コ字状に形成された供給部パネル５０の内方に形成される。飲用水供給部４０の下部には、注出された飲用水を受容するカップＣを載置するカップ支持台５１が着脱自在に設けられている。
【００４４】
このカップ支持台５１は、上方に開口する所定の容量を収容可能とする容器により構成されており、当該上面には、カップＣを載置する簀の子５１Ａが設けられている。これにより、カップＣから漏出された飲用水などを当該カップ支持台５１にて受容することができる。
【００４５】
そして、飲用水供給部４０を構成する供給部パネル５０の内壁には、飲用水供給部４０底面から所定の高さ位置に、支持台保持部５２が設けられている。これにより、飲用水供給部４０底面に設けられるカップ支持台５１を取り外し、当該支持台保持部５２に係止させることで、当該カップ支持台５１の取付高さを上げることができる。
【００４６】
従って、当該カップ支持台５１に載置するカップＣの高さに応じて、当該カップ支持台５１の取付高さを任意に変更することができ、例えば、カップＣ自体の高さ寸法が大きい場合には、図１に示すようにカップ支持台５１を低い高さに取付、カップＣ自体の高さ寸法が小さい場合には、図７に示すようにカップ支持台５１を高い高さに取り付けることができる。従って、飲用水を受容するカップＣの大きさに応じてカップ支持台５１の高さを変更することで、取出ノズル２０Ｂや、後述する湯ノズル５５の端部と、カップＣとの上端部位置を近づけることができ、注出により周囲に飛び散る飲用水を著しく減少させることができる。これにより、周囲が濡れてしまう不都合や、高温の湯が利用者に係る不都合を回避でき、安全な使用を実現することが可能となる。
【００４７】
一方、湯タンク室３４内には、湯タンク４５が設けられている。ここで、この湯タンク４５について図８の斜視図及び図９の分解斜視図を参照して説明する。湯タンク４５は、上面に開口した数リットルの飲用水を貯水可能とするタンクであり、外周には保温用カバー５６が設けられると共に、上面開口は、蓋５７により閉塞される。湯タンク４５内には、貯水された飲用水を例えば＋８０℃以上に加熱し保温するヒータ５９が設けられている。
【００４８】
湯タンク４５の底部には、ポンプ（ギヤポンプ）５８が取り付けられていると共に、当該ポンプ５８の近傍には、当該ポンプ５８により搬送される湯水の温度を検出する湯温度センサ６９が設けられている。このポンプ５８の導出側には、前記飲用水供給部４０の上部に設けられた湯ノズル５５に接続される湯供給配管６２が接続されている。
【００４９】
蓋５７には、上述した如き飲用水容器１１から湯生成用の飲用水を湯タンク４５に供給するため電磁開閉弁６１が介設された前記飲用水供給配管４６が接続されており、当該飲用水供給配管４６の端部に相当する湯タンク４５内には、上下に延在する供給水案内パイプ６０が立設されている。この供給水案内パイプ６０は、前記ポンプ５８とは離間した位置に設けられており、当該下端は、湯タンク４５の底面と少許隙間を存して設けられている。そのため、供給水によって、湯タンク４５内の湯温度、特に、ポンプ５８より搬送される湯温度が急激に低下する不都合を抑制することができる。
【００５０】
また、この湯タンク４５内には、当該湯タンク４５内の飲用水の水位を検出するための水位センサ６８が設けられている。本実施例において、当該水位センサ６８は、フロートスイッチにより構成されており、満水位と、所定の低水位（補給水位）を検出する。
【００５１】
尚、図中６３は、湯タンク４５内の湯を全て排水するための排水口であり、当該排水口６３には排水管６４が接続されている。この排水管６４は、前記保管室３３内側部に引き出されており（図３参照）、当該端部開口は、止水栓６５により閉塞されている。この止水栓６５の近傍には、保管室３３側から操作可能とするクランプ６６が設けられており、クランプ６６を操作することによって、排水管６４の流路を任意に変更可能とする。
【００５２】
また、湯タンク４５の上部には、オーバーフローパイプ６７が設けられている。このオーバーフローパイプ６７の他端は、機械室３２内に配設される図示しない蒸発皿にて開口されている。
【００５３】
本実施例の飲用水供給装置１は、図１１に示す如き汎用のマイクロコンピュータにより構成される制御装置７０を備えている。この制御装置７０には、前記コントロールパネル９が接続されている。このコントロールパネル９は、図１０に示すように、ロック解除ボタン７１と、給湯ボタン７２と、ロック解除表示ランプ７３と、電源表示ランプ７４と、冷水適温ランプ７５、湯適温ランプ７６と、湯給水ランプ７７とが設けられている。
【００５４】
また、制御装置７０の入力側には、庫内温度センサ２６、復帰スイッチ３９、湯温度センサ６９、水位センサ６８等が接続されており、当該出力側には、冷却ユニットＲを構成する圧縮機３５、冷気循環用の送風機１７、凝縮器用送風機３７、湯タンク４５のヒータ５９、ポンプ５８、電磁開閉弁６１等が接続され、当該制御装置７０に基づき制御されるものとする。
【００５５】
次に、当該飲用水供給装置１の動作について説明する。まずはじめに、上述したように、飲用水（冷水）供給用の飲用水容器１１を最下段の棚（実際にはデックパン１８）上に収容し、湯供給用の飲用水容器１１を下側の棚１２上に収容する。なお、空いている上側の棚１２上には、保冷用の飲用水容器１１を収納する。
【００５６】
飲用水供給用及び湯供給用の飲用水容器１１は、いずれも、注出口栓２９を外部に露出させた状態とする。飲用水供給用の飲用水容器１１については、上述した如く固定パネル４１等に設けられる注出口栓保持部４３に当該注出口栓２０を保持させる。
【００５７】
湯供給用の飲用水容器１１は、注出口栓２０の取出ノズル２０Ｂに湯水接続部４７を接続し、当該注出口栓２０の操作コック２０Ｃを開放する。これにより、湯供給用の飲用水は、湯水接続部４７に接続される飲用水供給配管４６を介して湯タンク４５内に貯留される。
【００５８】
係る構成により、冷気循環用の送風機１７が運転されると冷却器１４と熱交換した冷気は吐出ダクト１９Ａ内を上昇せられ、その一部は、前部冷気吐出口１５より保冷室６前方に向けて吐出されると共に、その残りの冷気は、上部冷気吐出口２１より保冷室６上方に向けて吐出される。そして、保冷室６内を循環した冷気は、再び保冷室６下部に形成される冷気吸込口２２から冷却室１６内に帰還され、再び送風機１７によって加速される。
【００５９】
係る冷気循環によって、保冷室６内に収容される各飲用水容器１１は、所定の冷却温度に冷却される。本実施例では、吐出ダクト部材１９の前部には、デックパン１８上の飲用水（冷水）供給用の飲用水容器１１に対応する位置に、前部冷気吐出口１５が形成されていると共に、保冷室６内を循環した冷気は、当該飲用水容器１１の前部下方に位置する冷気吸込口２２より冷却室１６内に帰還する。
【００６０】
そのため、デックパン１８上の飲用水容器１１は、他の棚１２上に載置される飲用水容器１１よりも積極的に冷却されることとなり、より早期に冷水としての提供に適した＋１０℃以下に到達する。
【００６１】
このとき、デックパン１８上に載置される飲用水容器１１は、注出口栓２０が固定パネル４１等の注出口栓保持部４３に保持されることで、飲用水が貯留される内容器１１Ｂが冷気吸込口２２が形成される冷気吸込面２２Ａに当接される。そのため、当該飲用水容器の操作コック２０Ｃの操作により注出される直前の飲用水を積極的に冷却することができる。係る状態で、カップ支持台５１にカップＣを載置し、断熱扉８の外方に臨んで設けられる操作コック２０Ｃを操作することにより、冷却された飲用水をカップＣに注出することができる。
【００６２】
特に、本実施例では、飲用水供給部４０の上側に形成された保冷室６内に収納される飲用水容器１１から重力によって飲用水の注出を行うため、簡素な構成により、飲用水の供給を支障なく行うことが可能となる。
【００６３】
また、制御装置７０は、当該冷気吸込面２２Ａに設けられる庫内温度センサ２６の検出温度に基づき、冷却ユニットＲの圧縮機３５の運転を制御する。そのため、保冷室６内は、冷水として供給される飲用水をより積極的に冷却しつつ、その上方に収納される湯供給用の飲用水や、保冷用の飲用水容器１１を冷却することができる。
【００６４】
このとき、上記冷気循環によって、下側の棚１２上の飲用水容器１１は、デックパン１８上の飲用水容器１１よりも高い温度範囲、例えば、＋１０℃〜２０℃の温度範囲にて冷却することができると共に、最上段の棚１２上の飲用水容器１１は、それよりも高い温度範囲にて冷却されることとなる。
【００６５】
そのため、密封状態が開放された状態の湯供給用の飲用水は、冷水としては適温ではないが、雑菌の繁殖を抑制することができる冷却温度範囲にて冷却することができ、衛生面を考慮した保管が可能となる。また、最上段の棚１２に載置された飲用水は、開封されていないため、係る事情を考慮する必要がない。そのため、上記冷却温度範囲よりも高いが、予備としての冷却が可能となり、継続した冷水の提供が可能となる。
【００６６】
従って、保冷室６内に収容される飲用水容器１１をそれぞれの目的に応じた冷却を実現することが可能となり、飲用水供給装置１全体としての冷却効率の向上、更には、ランニングコストの低減を図ることが可能となる。
【００６７】
尚、制御装置７０は、庫内温度センサ２６により検出される温度が所定の冷却温度、例えば、＋１０℃以下となると、冷水が適温となったとして、コントロールパネル９の冷水適温ランプ７５を点灯する。これにより、利用者に当該飲用水供給装置１により供給される冷水温度が適温であることを報知することができる。
【００６８】
一方、制御装置７０は、湯タンク４５内に配設される水位センサ６８の検出に基づき、飲用水供給配管４６の電磁開閉弁６１の開閉制御を行う。即ち、水位センサ６８が所定の低水位（補給水位）を検出すると、制御装置７０は、電磁開閉弁６１を開放して、湯生成用の飲用水を飲用水容器１１から湯タンク４５内に供給する。そして、水位センサ６８が満水位を検出すると、制御装置７０は、電磁開閉弁６１を閉鎖する。
【００６９】
なお、この場合も、湯タンク４５の上側に形成された保冷室６内に収納される飲用水容器１１から重力によって飲用水の供給を行うため、簡素な構成により、飲用水の供給を支障なく行うことが可能となる。
【００７０】
制御装置７０は、湯温度センサ６９の検出温度に基づき、当該湯タンク４５内の湯温度が所定温度以下、例えば＋９７℃以下である場合には、ヒータ５９に通電し、湯タンク４５内の飲用水を加熱する。
【００７１】
この場合、制御装置７０は、湯温度センサ６９が検出する温度が所定の加熱温度以下、例えば＋８０℃未満である場合には、コントロールパネル９の湯適温ランプ７６を消灯し、ポンプ５８の運転を禁止すると共に、ロック解除ボタン７１、給湯ボタン７２の操作を無効とする。
【００７２】
そして、湯温度センサ６９により検出される温度が上記所定の加熱温度以上となると、制御装置７０は、コントロールパネル９の湯適温ランプ７６を点灯し、ポンプ５８の運転禁止を解除すると共に、ロック解除ボタン７１の操作を有効とする。
【００７３】
これにより、湯適温ランプ７６が点灯された状態で、ロック解除ボタン７１が操作されると、所定時間、給湯ボタン７２に設けられるロック解除表示ランプ７３が点灯されて、給湯ボタン７２の操作が有効とされる。
【００７４】
カップ支持台５１にカップＣを載置し、当該ロック解除表示ランプ７３が点灯されている状態で、給湯ボタン７２が操作されると、当該給湯ボタン７２が操作されている間だけポンプ５８が運転されて、湯タンク４５内の湯が湯供給配管６２を介して飲用水供給部４０の湯ノズル５５からカップＣ内に注出することができる。
【００７５】
湯タンク４５からの湯の注出が行われることで、湯タンク４５内の湯の水位が低下し、水位センサ６８が所定の下限値を検出すると、上述したように電磁開閉弁６１が開放されて、保冷室６内の湯供給用の飲用水容器１１から飲用水が補充される。
【００７６】
係る動作が複数回実行されることにより、当該飲用水容器１１内の飲用水が無くなると、電磁開閉弁６１を開放しても水位センサ６８が満水位を検出しなくなる。そのため、制御装置７０は、電磁開閉弁６１を開放してから所定時間、例えば、空の状態の湯タンク４５に飲用水容器１１から飲用水を供給し、満水位に達するまでに必要とされるのに十分とされる時間、本実施例では１０分以上経過すると、保冷室６内の湯生成用の飲用水容器１１内が空になったものと判断し、コントロールパネル９の湯給水ランプ７７を点灯する。これにより、当該装置の管理者に飲用水容器１１の交換を促すことができる。
【００７７】
一方、上述した如き制御が実行されている間に、停電等により当該飲用水供給装置１への給電が停止した場合、当該給電停止時間が長い場合には、湯タンク４５内の温度が所定の下限値（例えば食品衛生法における＋６５℃）以下に低下する。
【００７８】
この場合、制御装置７０は、給電が復旧した際に湯温度センサ６９により検出された温度が上記下限値以下である場合には、所定の警告動作として、コントロールパネル９のロック解除表示ランプ７３を点滅させる。そして、制御装置７０は、ヒータ５９に通電することによる湯の生成を禁止すると共に、ポンプ５８の運転の運転の禁止、ロック解除ボタン７１、給湯ボタン７２の操作を無効として湯の供給を禁止する。
【００７９】
係る場合には、管理者は当該警告動作に従い、湯タンク４５内の湯の廃棄作業を行う。即ち、管理者は、扉パネル７を開放し、保管室３３内に配設される排水管６４のクランプ６６を操作して排水管６４の流路を狭め、この状態で、止水栓６５を開放し、クランプ６６を操作して徐々に排水管６４の流路を広げ、当該湯タンク４５内の湯を廃棄する。
【００８０】
湯タンク４５内の湯を全て廃棄した後、止水栓６５を閉鎖し、例えば、電装箱３８の前面に設けられる復帰スイッチ３９を所定時間（例えば１秒）継続して押すによるリセット操作を行う。これに基づき、制御装置７０は、コントロールパネル９のロック解除表示ランプ７３を消灯し、ヒータ５９への通電禁止を解除すると共に、湯の供給動作禁止を解除し、湯タンク４５における湯の生成と湯タンク４５からの湯の供給動作を復帰させる。
【００８１】
これにより、停電等により湯タンク４５内の湯の温度が所定の下限値に低下した場合には、湯タンク４５内の湯の廃棄を促すことが可能となる。そのため、一旦加熱された湯が温度低下し、雑菌の繁殖が懸念される湯（水）が以後、飲用水として供給される不都合を未然に回避することが可能となり、中毒などの発生を回避することができる。従って、安全な飲用水の提供を実現することができる。
【００８２】
本実施例では、各飲用水容器１１が収容される保冷室６の下方であって、機械室３２の上方には、保冷室６とは別に予備の飲用水容器１１を保管する保管室３３が設けられている。そのため、保冷室６の最上段の棚１２のみならず、飲用水供給装置１において更に予備の飲用水容器１１を保管することが可能となり、利便性の向上を図ることができる。
【００８３】
特に、当該保管室３３は、冷却ユニットを構成する冷却器１４による冷却を行わない構成とされているため、装置全体としての冷媒配管構成等を簡略することができ、飲用水供給装置１全体の構造を簡素化することができる。また、装置１全体の下部に位置する保管室３３内に飲用水容器１１を収納することで、その重量によって装置１全体の安定度を向上させることができる。従って、装置１の安定性を向上でき、傾倒しにくい安全な使用が可能となる。
【００８４】
また、本実施例では、予備の飲用水容器１１を常温の保管室３３にて保管可能とするため、従来のような直接冷却器によって保管室の内壁を冷却し、保管室内の飲用水容器を冷却する場合と異なり、段ボールにより形成される外箱本体１１Ａが当該冷却に伴う結露によってふやけ、脆弱してしまう不都合を回避することが可能となる。
【００８５】
尚、本実施例において、保冷室６下部と当該保管室３３とを連通するダクトを構成し、送風機１４により保冷室６内を循環する冷気の一部を余剰冷気として当該保管室３３内に供給する構成としてもよい。これにより、当該保管室３３内に収容される予備の飲用水容器１１を予冷することができ、飲用水容器１１を交換した後早期に冷水としての供給を実現することが可能となる。
【図面の簡単な説明】
【００８６】
【図１】本発明を適用した飲用水供給装置の斜視図である。
【図２】図１の飲用水供給装置の縦断側面図である。
【図３】図１の飲用水供給装置の各扉、固定パネルを取り外した状態の正面図である。
【図４】図１の飲用水供給装置の各扉を開放した状態の斜視図である。
【図５】更に固定パネルを開放した状態の図４の部分透視斜視図である。
【図６】飲用水容器を収納した状態の保冷室内上部の斜視図である。
【図７】カップ支持台の高さを高位置とした飲用水供給装置の斜視図である。
【図８】湯タンクの斜視図である。
【図９】湯タンクの分解斜視図である。
【図１０】前面パネルの正面図である。
【図１１】制御装置の電気ブロック図である。
【符号の説明】
【００８７】
１    飲用水供給装置
２    断熱箱体
６    保冷室
７    扉パネル
８    断熱扉
９    コントロールパネル
１１  飲用水容器
１１Ａ  外箱本体
１１Ｂ  内容器
１２  棚
１４  冷却器
１５  前部冷気吐出口
１６  冷却室
１８  デックパン
１９  吐出ダクト部材
１９Ａ  吐出ダクト
２０  注出口栓
２０Ａ  封止部
２０Ｂ  取出ノズル
２０Ｃ  操作コック
２１  上部冷気吐出口
２２  冷気吸込口
２６  庫内温度センサ
３２  機械室
３３  保管室
３４  湯タンク室
３５  圧縮機
３９  復帰スイッチ
４０  飲用水供給部
４１  固定パネル
４５  湯タンク
４６  飲用水供給配管
４７  湯水接続部
５１  カップ支持台
５２  支持台保持部
５５  湯ノズル
５８  ポンプ
５９  ヒータ
６１  電磁開閉弁
６２  湯供給配管
６８  水位センサ
６９  湯温度センサ
７０  制御装置
７１  ロック解除ボタン
７２  給湯ボタン
７３  ロック解除表示ランプ
７４  電源表示ランプ
７５  冷水適温ランプ
７６  湯適温ランプ
７７  湯給水ランプ
【図１】
2009269646.tif 000003
【図２】
2009269646.tif 000004
【図３】
2009269646.tif 000005
【図４】
2009269646.tif 000006
【図５】
2009269646.tif 000007
【図６】
2009269646.tif 000008
【図７】
2009269646.tif 000009
【図８】
2009269646.tif 000010
【図９】
2009269646.tif 000011
【図１０】
2009269646.tif 000012
【図１１】
2009269646.tif 000013